(57)【要約】【課題】本発明は、係合部を弾性部材により形成することで、アンテナが収納状態で保持されると共にアンテナの傷つきが抑制された携帯端末装置を提供することを目的とする。【解決手段】本発明の携帯端末装置は、筐体２と、筐体２の内部に配設される放送受信部と、放受信部と電気的に接続されるアンテナ２２と、アンテナ２２を収納するアンテナ収納部２２ａと、アンテナ収納部２２ａに収納されたアンテナに係合する係合部５５０と、筐体２の表面から押圧面が露出して配置される操作部としての操作キー２１と、を備え、操作キー２１は、弾性部材を含んで構成され、係合部５５０は、弾性部材の一部により形成されると共に、操作キー２１を構成する部分と一体的に形成されることを特徴とする。【選択図】図１０
2008252278.tif 000002
【特許請求の範囲】
【請求項１】
筐体と、
前記筐体の内部に配設される放送受信部と、
前記放受信部と電気的に接続されるアンテナと、
前記アンテナを収納するアンテナ収納部と、
前記アンテナ収納部に収納されたアンテナに係合する係合部と、
前記筐体の表面から押圧面が露出して配置される操作部と、を備え、
前記操作部は、弾性部材を含んで構成され、
前記係合部は、前記弾性部材の一部により形成されると共に、前記操作部を構成する部分と一体的に形成されることを特徴とする携帯端末装置。
【請求項２】
前記筐体における正面部には、表示部が配置され、
前記筐体における前記正面部と反対側の背面部には、カメラ部を構成するレンズが配置され、
前記操作部は、前記カメラ部のシャッター操作部であると共に、シャッター操作時において前記正面部に向かって前記筐体の上面における右側に配置され、
前記係合部は、前記操作部近傍に配置され、
前記アンテナは、一端が前記正面部に向かって前記筐体の上面における左側に回動可能に固定されると共に、他端側の所定位置において前記係合部により係合される請求項１に記載の携帯端末装置。
【請求項３】
前記アンテナ収納部は、前記筐体の外面に形成される凹部であり、
前記係合部は、前記凹部を構成する壁部から突出して配置される請求項１又は２に記載の携帯端末装置。
【請求項４】
前記係合部は、前記壁部と共に前記アンテナ収納部に収納されたアンテナを挟持する請求項３に記載の携帯端末装置。
【発明の詳細な説明】
【技術分野】
【０００１】
本発明は、携帯電話機等の携帯端末装置に関する。
【背景技術】
【０００２】
従来、携帯端末装置としての携帯電話機には、通信用のアンテナが配置されている。これに加えて、近年、携帯電話機にはＴＶ放送受信のためのアンテナが配置されている。このＴＶ放送受信のためのアンテナとしては、可倒式のアンテナが多く用いられている（例えば、特許文献１参照）。
【０００３】
また、各種アンテナは、電波を好適に受信するために筐体から突出した状態と、筐体の外部又は内部に収納された状態とを有するよう変形又は回動可能に構成される。この筐体の外部又は内部に収納された状態において、アンテナが収納状態を保持するように構成されることが好ましい。これに対し、伸縮可能なアンテナを有する携帯端末装置であって、アンテナの収納状態を保持する保持機構を有する携帯端末装置が提案されている（例えば、特許文献２参照）。
【特許文献１】特開２００７−１３４４２号公報
【特許文献２】特開２０００−１０１３２０号公報
【発明の開示】
【発明が解決しようとする課題】
【０００４】
ここで、可倒式のアンテナは、電波を受信しない場合には筐体に形成される収納部に収納配置され、電波を受信する場合には収納部から電波を受信しやすい位置に回動移動されるように構成される。この可倒式のアンテナにおいても、収納状態を保持するために所定の係合部等により保持機構を有することが好ましい。
【０００５】
しかし、この係合部を筐体やアンテナの外面と同じように樹脂等の硬い材料で形成した場合、所定期間使用すると係合部によりアンテナに傷がつけられてしまう場合がある。
【０００６】
本発明は、係合部を弾性部材により形成することで、アンテナが収納状態で保持されると共に、アンテナの傷つきが抑制された携帯端末装置を提供することを目的とする。
また、係合部を操作部に用いられる弾性部材の一部により形成することで、コスト負担やスペースを増加させることなく、アンテナの傷つきが抑制された携帯端末装置を提供することを目的とする。
【課題を解決するための手段】
【０００７】
本発明は、筐体と、前記筐体の内部に配設される放送受信部と、前記放受信部と電気的に接続されるアンテナと、前記アンテナを収納するアンテナ収納部と、前記アンテナ収納部に収納されたアンテナに係合する係合部と、前記筐体の表面から押圧面が露出して配置される操作部と、を備え、前記操作部は、弾性部材を含んで構成され、前記係合部は、前記弾性部材の一部により形成されると共に、前記操作部を構成する部分と一体的に形成されることを特徴とする携帯端末装置に関する。
【０００８】
また、前記筐体における正面部には、表示部が配置され、前記筐体における前記正面部と反対側の背面部には、カメラ部を構成するレンズが配置され、前記操作部は、前記カメラ部のシャッター操作部であると共に、シャッター操作時において前記正面部に向かって前記筐体の上面における右側に配置され、前記係合部は、前記操作部近傍に配置され、前記アンテナは、一端が前記正面部に向かって前記筐体の上面における左側に回動可能に固定されると共に、他端側の所定位置において前記係合部により係合されることが好ましい。
【０００９】
また、前記アンテナ収納部は、前記筐体の外面に形成される凹部であり、前記係合部は、前記凹部を構成する壁部から突出して配置されることが好ましい。
【００１０】
また、前記係合部は、前記壁部と共に前記アンテナ収納部に収納されたアンテナを挟持することが好ましい。
【発明の効果】
【００１１】
本発明によれば、係合部を弾性部材により形成することで、アンテナが収納状態で保持されると共に、アンテナの傷つきが抑制された携帯端末装置を提供することができる。
また、係合部を操作部に用いられる弾性部材の一部により形成することで、コスト負担やスペースを増加させることなく、アンテナの傷つきが抑制された携帯端末装置を提供することができる。
【発明を実施するための最良の形態】
【００１２】
以下、図面を参照して本発明を実施するための最良の形態を説明する。なお、以下、携帯端末装置として携帯電話機について説明するが、本発明の携帯端末装置はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００１３】
図１から図３により、携帯端末装置としての携帯電話機１における基本構造を説明する。図１は、携帯電話機１を開いた状態（第１開状態）における正面図を示す。また、図２（Ａ）は、携帯電話機１を開いた状態における左側面図を示し、図２（Ｂ）は、携帯電話機１を開いた状態における右側面図を示す。また、図３は、携帯電話機１を開いた状態における背面図を示す。
【００１４】
携帯電話機１は、操作部側筐体２と、表示部側筐体３とを備える。操作部側筐体２と表示部側筐体３とは２軸ヒンジ機構を備える連結部４を介して連結され、該携帯電話機１を開状態及び閉状態に変形可能とすると共に、開状態及び閉状態それぞれにおいて表示部側筐体３を表状態と裏状態とに切り替えることができる。
【００１５】
ここで、閉状態とは、両筐体が互いに重なるように配置された状態であり、開状態とは、両筐体が互いに重ならないように配置された状態をいう。そして、開状態における表状態とは、後述する表示部側筐体３における表面３Ａに配置されるディスプレイ３０と、操作部側筐体２における表面２Ａに配置される操作キー群１１とが同じ側を向くように配置された状態であり、開状態における裏状態とは、表示部側筐体３におけるディスプレイ３０と操作部側筐体２における操作キー群１１とが反対側を向くように配置された状態をいう。また、閉状態における表状態とは、表示部側筐体３におけるディスプレイ３０が操作部側筐体２における操作キー群１１に対向するように配置された状態であり、閉状態における裏状態とは、表示部側筐体３におけるディスプレイ３０が操作部側筐体２における操作キー群１１と対向せずに表出した状態である。
【００１６】
操作部側筐体２は、外面がフロントケース２ａとリアケース２ｂにより構成される。この操作部側筐体２は、フロントケース２ａ側に、操作キー群１１と、携帯電話機１の使用者が通話時に発した音声が入力される音声入力部１２とがそれぞれ露出するように構成される。ここで、操作キー群１１は、各種設定や電話帳機能やメール機能などの各種機能を作動させるための機能設定操作キー１３と、電話番号の数字やメールなどの文字などを入力するためのテンキーなど入力操作キー１４と、各種操作における決定や上下左右方向のスクロール等を行う決定操作キー１５と、から構成されている。また、音声入力部１２は、操作部側筐体２の長手方向における連結部４側とは反対の外端部側に配置される。つまり、音声入力部１２は、携帯電話機１が開状態において一方の外端部側に配置される。
【００１７】
操作キー群１１を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００１８】
操作部側筐体２における一方の側面には、図２（Ａ）に示すように、外部機器（例えば、ホスト装置）とデータの送受信を行うためのインターフェース１６と、ヘッドホン／マイク端子１７と、着脱可能な外部メモリのインターフェース１８と、バッテリを充電するための充電端子群１９とが設けられている。なお、インターフェース１６、ヘッドホン端子／マイク端子１７及びインターフェース１８は、不使用時において着脱可能な防塵対策用のキャップで覆われている。また、充電端子群１９は、充電端子１９ａと、グランド端子１９ｂと、音声データ出力端子１９ｃと、不図示のＣＰＵからの制御データを出力する制御データ出力端子１９ｄとにより構成される。
【００１９】
操作部側筐体２における他方の側面には、図２（Ｂ）に示すように、一対のサイドキー２０と、撮像時に使用される操作キー２１と、電波の受信角度を調整可能な放送波受信用のアンテナ２２とが配置される。このサイドキー２０には、操作部側筐体２と表示部側筐体３との開閉状態や表裏状態等の変形状態や、起動されているアプリケーションの種類に応じて所定の機能が割り当てられる（キー・アサイン）。ここで、上述と同様に、サイドキー２０が使用者により押圧されることで、携帯電話機１においてサイドキー２０に割り当てられている機能に応じた動作が実行される。
【００２０】
操作部側筐体２のリアケース２ｂには、図３に示すように、被写体を撮像するカメラ部を構成するレンズ２３と、被写体に光を照射するライト部２４とが露出して配置される。このカメラ部を構成するレンズ２３とライト部２４とは、操作部側筐体２における連結部４側に配置される。また、操作部側筐体２におけるリアケース２ｂには、バッテリ収容部９２にバッテリ９０を装着するための開口９２ａが形成されると共に、該開口９２ａを塞ぐようにバッテリリッド２５が配置される。
【００２１】
また、操作部側筐体２の上端部と表示部側筐体３の下端部とは、図２から図４に示すように、２軸ヒンジ機構を備える連結部４を介して連結される。連結部４における一方の面（裏面）には、図４に示すように、副操作キー群３３が該携帯電話機１の幅方向（短手方向）において一列に並んで配置される。副操作キー群３３は、第１キー３３ａと、第２キー３３ｂと、第３キー３３ｃとにより構成される。第２キーは、第１部３３ｂｘと、第２部３３ｂｙとを有する。この副操作キー群３３を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２２】
表示部側筐体３は、外面がフロントケース３ａとリアケース３ｂにより構成される。表示部側筐体３におけるフロントケース３ａには、各種情報を表示するための所定形状のディスプレイ３０と、通話の相手側における音声を出力する音声出力部３１とが露出するように配置される。ディスプレイ３０には、各種文字情報のほか、ＴＶ画像や写真画像等の画像情報が表示される。ここで、音声出力部３１は、表示部側筐体３の長手方向における連結部４とは反対の外端部側に配置される。つまり、音声出力部３１は、携帯電話機１が開状態において他方の端部側に配置される。
【００２３】
また、表示部側筐体３のリアケース３ｂには、各種情報を表示するためのサブディスプレイ３２が露出して配置される。サブディスプレイ３２には、主に文字情報が表示される。ディスプレイ３０及びサブディスプレイ３２それぞれは、液晶パネルと、この液晶パネルを駆動する駆動回路と、この液晶パネルの背面側から光を照射するバックライト等の光源部とから構成される。
【００２４】
次いで、図４から図６により、連結部４の構造及び携帯電話機１における変形状態について説明する。図４は、図１に示される状態から携帯電話機１の表示部側筐体３を連結部４の開閉軸Ｘを中心に折り畳んだ状態における正面図を示す。図５は、図１に示される状態から携帯電話機１の表示部側筐体３を、連結部４の回動軸Ｙを中心にして所定角度回動した状態の斜視図を示す。図６は、図４に示される状態から表示部側筐体３を回動軸Ｙを中心に１８０度回転させた状態の斜視図を示す。
【００２５】
連結部４は、一方端４ａ側において開閉連結部材により操作部側筐体２の上端部と連結されており、他方端４ｂ側において回動連結部材により表示部側筐体３の下端部と連結されている。
【００２６】
連結部４の一方端４ａには、該連結部４における表面から垂直に突出するように形成される凸形状の開閉部４ｃが形成される。そして、操作部側筐体２の上端部には、この凸形状の開閉部４ｃが挿嵌される凹形状の切り欠き部５が形成される。
【００２７】
この開閉部４ｃの開閉軸Ｘ方向における両側それぞれには、孔部Ａが形成される。また、操作部側筐体２の切り欠き部５における両内側面には、孔部Ｂが形成される。そして、凸形状の開閉部４ｃが、凹形状の切り欠き部５に挿嵌された状態において、孔部Ａと孔部Ｂとは互いに近接して対向するよう配置されると共に、孔部Ａと孔部Ｂとの双方に円筒状の開閉連結部材が挿通される。これにより、操作部側筐体２と表示部側筐体３とは、開閉可能に連結される。ここで、円筒状の開閉部材における一方は、操作部側筐体２内部からの配線が挿通可能に中空状に形成される。
【００２８】
なお、開閉部４ｃは、操作部側筐体２の上端部に挿嵌される形状であれば良く、特に凸形状に限られず、また、操作部側筐体２の上端部の形状も凹形状に限られない。
【００２９】
また、連結部４の他方端４ｂ側と表示部側筐体３の下端部とは、回動連結部材により回動自在に連結される。連結部４における表示部側筐体３側の側面には、孔部Ｃが形成される。また、表示部側筐体３における連結部４側の側面には、孔部Ｄが形成される。そして、孔部Ｃと孔部Ｄとの双方に回動連結部材が挿通されることで、操作部側筐体２と表示部側筐体３とが回動軸Ｙを中心に回動可能に連結される。つまり、操作部側筐体２と表示部側筐体３とは、表示部側筐体３の表裏状態を切り替え可能に連結される。
【００３０】
携帯電話機１は、上述したように、操作部側筐体２と表示部側筐体３とが連結部４により開閉及び回動可能に連結される。これにより、操作部側筐体２と表示部側筐体３とを、開閉軸Ｘを中心にして開閉させたり、回動軸Ｙを中心にして回動をさせたりすることで携帯電話機１を様々な状態に変形させることができる。
【００３１】
例えば、図４に示す操作部側筐体２と表示部側筐体３とが互いに重なる状態である閉状態（第１閉状態）の携帯電話機１を、操作部側筐体２及び表示部側筐体３それぞれにおける開閉軸Ｘと反対側の端部が、互いに離間するよう開閉軸Ｘを中心にして開くように変形させることで、図１から図３に示す操作部側筐体２と表示部側筐体３とが互いに重ならない開状態（第１開状態）にすることができる。
【００３２】
逆に、開状態（第１開状態）の携帯電話機１を、操作部側筐体２及び表示部側筐体３それぞれの開閉軸Ｘと反対側の端部が、互いに近づくよう開閉軸Ｘを中心にして閉じるように変形させることで、図４に示す閉状態（第１閉状態）にすることができる。
【００３３】
また、図５に示すように、表示部側筐体３を、回動軸Ｙを中心に回動させることができる。更には、表示部側筐体３を図５の状態から更に回動軸Ｙを中心に回転させることで、表示部側筐体３における表裏状態を切り替えることができる。具体的には、図１から図３に示す表示部側筐体３における表面３Ａに配置されるディスプレイ３０と、操作部側筐体２における表面２Ａに配置される操作キー群１１とが同じ側を向く開状態（第１開状態）から、表示部側筐体３が回動軸Ｙを中心に１８０度回転されることで、表示部側筐体３における表面３Ａに配置されるディスプレイ３０と、操作部側筐体２における表面２Ａに配置される操作キー群とが反対側を向く開状態（第２開状態）にすることができる。
【００３４】
そして、第２開状態における表示部側筐体３を開閉軸Ｘを中心にして閉じるよう変形させることで、携帯電話機１を図６に示す閉状態（第２閉状態）にすることができる。つまり、携帯電話機１は、図４に示す表示部側筐体３におけるディスプレイ３０が、操作部側筐体２における操作キー群１１に対向するよう配置された閉状態（第１閉状態）から、図６に示す表示部側筐体３におけるディスプレイ３０が、操作部側筐体２に対向せずに表出した状態である閉状態（第２閉状態、ターンクローズ状態）に変形させることができる。
【００３５】
なお、本実施形態においては、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（リボルバ）式や、操作部側筐体２と表示部側筐体３とが一つの筐体に配置され連結部を有さない型式（ストレートタイプ）でもよい。
【００３６】
続いて、図７により、操作部側筐体２の内部構造について説明する。図７は、操作部側筐体２の分解斜視図を示す。
【００３７】
操作部側筐体２は、図７に示すように、フロントケース２ａと、上述した操作キー群１１を構成するキーシート４０と、キースイッチが配置されるフレキシブルプリント配線基板５０と、シールドケース６０と、基準電位パターン層及び携帯電話機用のＲＦ（Ｒａｄｉｏ  Ｆｒｅｑｕｅｎｃｙ）モジュール等の各種電子部品を備える回路基板７０と、アンテナ部８０と、リアケース２ｂと、を備える。また、バッテリ９０は、リアケース２ｂの外側から装脱可能に収容される。
【００３８】
フロントケース２ａとリアケース２ｂとは、互いの凹状の内側面が向き合うように配置されると共に、互いの外周縁が重なり合うようにして結合される。また、フロントケース２ａとリアケース２ｂとの間には、キーシート４０と、フレキシブルプリント配線基板５０と、シールドケース６０と、回路基板７０と、アンテナ部８０とが、フロントケース２ａ側からこの順番で収納配置される。
【００３９】
回路基板７０における第１の面７２には、図示しない各種電子部品及び基準電位パターン層が形成される。また、回路基板７０における第２の面７３には、各種電子部品が配置される。具体的には、第２の面７３には、図示しないカメラ部を構成するレンズ２３やライト部２４が連結部４側の端部に偏って配置されると共に、図示しない音声入力部１２が連結部４側の端部に偏って配置される。なお、カメラ部を構成するレンズ２３やライト部２４は、リアケース２ｂに所定の形状で穿孔されている穿孔部２ｃを介して外部に露出される。ここで、回路基板７０には、ＣＰＵ、メモリ、放送受信用モジュール等が実装される。ここで、放送受信用モジュールは、アンテナ２２と電気的に接続される。
【００４０】
シールドケース６０は、薄型の直方体における一の広い面が開口した形状を有する金属製の部材である。シールドケース６０は、平板部４２と、平板部４２における一方の面に略垂直に形成されるリブ４４とを有する。リブ４４は、回路基板７０における第１の面７２に実装される各種電子部品のうち最も高さのある電子部品の高さと同等又はそれよりも十分に高くなるよう形成される。なお、シールドケース６０は、金属により形成する以外に、骨格を樹脂により形成し、その表面に金属性の導体膜を形成したものでもよい。
【００４１】
シールドケース６０は、リブ４４（底面）により、回路基板７０における第１の面７２に形成される基準電位パターン層と導通する。これにより、シールドケース６０は、基準電位パターン層と電気的に導通して同じ大きさの電位を有するようになる。また、シールドケース６０は、外部からのノイズが回路基板７０の第１の面７２に配置される不図示の各種電子部品に作用するのを防ぐと共に、第１の面７２に形成される高周波回路等から放出されるノイズを吸収する。ここで、シールドケース６０と回路基板７０との間に配置される図示しない導通部材を配置することで電気的に導通させてもよい。また、シールドケース６０は、後述する各種キーの押圧操作に対する剛性確保のための補強部材としても機能する。
【００４２】
フレキシブルプリント配線基板５０は、フロントケース２ａ側の面に複数のキースイッチ５１、５２、５３を有している。フレキシブルプリント配線基板５０のキースイッチ５１、５２、５３は、椀状に湾曲して立体的に形成された金属板のメタルドームを有する構造になっている。メタルドームは、その椀状形状の頂点が押圧されると、フレキシブルプリント配線基板５０の表面に印刷された不図示の電気回路に形成されるスイッチ端子に接触して電気的に導通する。なお、フレキシブルプリント配線基板５０は、複数の絶縁フィルムの間に配線を挟み込んだものである。
【００４３】
キーシート４０は、シリコンゴム製のシート４１の表面に操作キー群１１が接着剤により貼り付けられて構成される。キーシート４０における操作キー群１１を構成する機能設定操作キー１３、入力操作キー１４及び決定操作キー１５は、フレキシブルプリント配線基板５０におけるキースイッチ５１、５２、５３と対向する位置に配置されると共に、後述するフロントケース２ａに形成されるキー孔４５から露出するように配置される。ここで、後述する操作キー２１もキースイッチ、キーシート及び操作キーを有して構成される。
【００４４】
フロントケース２ａには、携帯電話機１を折り畳んだ状態で表示部側筐体３のディスプレイ３０と対向する内側面に、キー孔４５が複数形成される。複数のキー孔４５それぞれからは、キーシート４０上に形成される機能設定操作キー１３、入力操作キー１４及び決定操作キー１５の押圧面が露出する。この露出した操作キー群１１を構成する機能設定操作キー１３、入力操作キー１４及び決定操作キー１５の押圧面を押し下げるように押圧することで、対応するキースイッチ５１、５２、５３それぞれにおけるメタルドーム（椀状形状）の頂点が押圧され、スイッチ端子に接触して電気的に導通する。
【００４５】
アンテナ部８０は、基台上に所定形状のアンテナエレメントが配置されることにより構成さる。アンテナ部８０は、携帯電話機１における連結部４側と反対の端部側に配置される。このアンテナ部８０のアンテナエレメントは、帯状の板金により形成される。また、アンテナ部８０は、不図示の給電端子を介して回路基板７０から給電される。これにより、アンテナエレメントは、給電端子を介して回路基板７０から給電されると共に、回路基板７０のＲＦモジュールや放送受信用モジュール等と接続される。
【００４６】
バッテリ９０は、リアケース２ｂに形成された開口９２ａを介してバッテリ収容部９２に着脱可能に収容される。バッテリ収容部９２は、リアケース２ｂと回路基板７０における第２の面７３の一部とにより形成される。そして、バッテリ９０が収容された状態において、開口９２ａを塞ぐようにバッテリリッド２５を配置することで、バッテリ９０の脱落を抑制することができる。
【００４７】
続けて、図８から図１２により、アンテナ２２の係止構造について説明する。
図８は、第２閉状態におけるディスプレイ３０側からみた斜視図を示す。図９は、図８とは反対側からみた斜視図を示す。図１０は、図９における領域Ｚの拡大図を示す。図１１は、図１０におけるＸ―Ｘ断面図を示す。図１２は、操作キー２１を構成するシート５００を説明する図を示す。
【００４８】
図８に示すように、アンテナ２２は、操作部側筐体２におけるシャッター操作部としての操作キー２１と反対の端部側に回動可能に連結される。具体的には、操作キー２１は、シャッター操作時における正面部である表面３Ａに向かって操作部側筐体２の上面における右側に配置され、アンテナ２２は、表面３Ａに向かって操作部側筐体２の上面における左側に回動可能に連結される。ここで、表面３Ａには、ディスプレイ３０が配置される。ディスプレイ３０には、背面２Ｂに配置されるレンズ２３を介して取り込まれた画像が表示される。使用者は、ディスプレイ３０に表示される被写体の画像を見ながらシャッター操作をすることができる。
【００４９】
図９及び図１０に示すように、操作部側筐体２の側面には、該操作部側筐体２の長手方向に延びる凹状のアンテナ収納部２２ａが形成される。このアンテナ収納部２２ａには、アンテナ２２が収納配置される。好ましくは、アンテナ２２は、操作部側筐体２の外面から突出しないようにアンテナ収納部２２ａに収納配置される。
【００５０】
アンテナ収納部２２ａは、底部７００と、底部７００の操作部側筐体２における厚さ方向の一方側に連続して形成される第１壁部７１０と、底部７００の前記一方側と反対の他方側に連続して形成される第２壁部７２０とにより形成される。
【００５１】
第２壁部７２０は、薄板状の保持部材７２５における内側の面であり、保持部材７２５におけるアンテナ２２の固定部から後述する切り欠き部１２２の端部までの部分である。
【００５２】
切り欠き部１２２は、保持部材７２５を切り欠いて形成される。切り欠き部１２２は、アンテナ収納部２２ａにおけるアンテナ２２の固定部と反対側の端部側に形成される。切り欠き部１２２は、アンテナ２２がアンテナ収納部２２ａに収納された状態で、アンテナ２２の自由端側に形成される。切り欠き部１２２は、アンテナ収納部２２ａに収納されたアンテナ２２を外部に露出される部分である。使用者は、アンテナ２２におけるこの露出された部分に指等を当接させてアンテナ２２を移動させる。
【００５３】
アンテナ収納部２２ａには、係合部５５０が形成される。具体的には、アンテナ収納部２２ａにおける第１壁部７１０に係合部５５０が形成される。係合部５５０は、第１壁部７１０に形成される開孔６００から第２壁部７２０側に突出して形成される。係合部５５０は、操作キー２１を構成するシート５００の一部により形成される。詳細は後述の通りである。
【００５４】
また、係合部５５０は、保持部材７２５における第２壁部７２０と対向する位置に形成される。言い換えると、係合部５５０は、切り欠き部１２２には対向しない位置に形成される。また、係合部５５０は、操作キー２１の近傍に配置される。
【００５５】
係合部５５０は、アンテナ収納部２２ａに収納されたアンテナ２２に当接して係止する。係合部５５０は、アンテナ２２におけるアンテナ収納部２２ａの底部７００と反対側への移動を規制する。更には、図１１に示すように、係合部５５０は、第２壁部７２０の端部７２０ａと共にアンテナ収納部２２ａに収納されたアンテナ２２を挟持するようにして収納状態を維持する。
【００５６】
図１２に示すように、係合部５５０は、操作キー２１を構成するシート５００の一部として形成される。操作キー２１は、上述の操作キー群１１と同様に、メタルドーム構造のキースイッチを有するフレキシブルプリント配線基板に対向して配置され、シリコンゴム製のシート５００の表面に接着剤によりキー部材２１ａが貼り付けられたキーシートを有して構成される。ここで、図１０に示すように、押圧面を有するキー部材２１ａは操作部側筐体２の外面に露出するように配置され、シート５００は操作部側筐体２の内部に配置される。
【００５７】
図１２に示すように、シート５００は、キー部材２１ａが貼り付けられ操作キー２１を構成する第１部５１０と、第１部５１０における長手方向の一端側に一体的に形成される第２部５２０とを有する。第１部５１０は板状であり、第２部５２０は第１部５１０の一端に該第１部５１０に対して垂直になるよう配置される。そして、第２部５２０には、上述した係合部５５０が形成される。
【００５８】
係合部５５０が形成される第２部５２０は、第１部５１０と一体的に形成される。例えば、第１部５１０と第２部５２０とは、２色プレス加工により一体的に成型することができる。そして、一体成型されたシート５００を操作キー２１におけるキー部材２１ａに当接するように配置すると共に、係合部５５０を開孔６００から露出させるように配置する。
【００５９】
係合部５５０は、上述の通り、シリコンゴム製のシート５００の一部であるので弾力を有すると共に、やわらかい部材である。つまり、係合部５５０は、アンテナ２２の収納状態を好適に維持できると共に、アンテナ２２にキズをつけにくい。
【００６０】
図１１により、係合部５５０によるアンテナ２２の係止動作について説明する。
図１１に示すように、外部に位置されるアンテナ２２は、Ｆ１方向に移動されることでアンテナ収納部２２ａに収納配置される。アンテナ収納部２２ａに収納されたアンテナ２２は、係合部５５０によりＦ２方向への移動を規制される。具体的には、アンテナ２２は、係合部５５０と第２壁部７２０における端部７２０ａとに挟持されるようにしてＦ２方向への移動が規制される。
【００６１】
アンテナ２２はアンテナ収納部２２ａに収納／脱離される。アンテナ２２がアンテナ収納部２２ａに収納される際、係合部５５０はアンテナ２２の表面の一部に当接する。また、アンテナ２２がアンテナ収納部２２ａから脱離される際、係合部５５０は、アンテナ２２の表面におけるアンテナ２２が収納される際に係合部５５０が当接した部分と略同じ部分に当接する。つまり、係合部５５０は、アンテナ２２の表面における一部に、アンテナ２２が収納／脱離するごとに当接する。ここで、係合部５５０は、弾力を有するやわらかい部材であるので、アンテナ２２の移動に応じて変形すると共にアンテナ２２の表面にキズをつけない。
【００６２】
本実施形態によれば、係合部５５０をシリコンゴム製のシート５００により形成したので、アンテナ２２のアンテナ収納部２２ａに対する収納／脱離動作を繰り返してもアンテナ２２の表面にキズがつきにくい。
【００６３】
また、本実施形態によれば、係合部５５０を近傍に配置される操作キー２１を構成するシート５００の一部で形成したので、部品点数を削減できる。更には、係合部５５０をシート５００の成型と同時に形成することができる。これにより、部品コストや製造コスト負担を抑制できる。
【００６４】
また、本実施形態によれば、開孔６００を埋めるように第２部５２０を配置できるので、水や埃の浸入を抑制できる構造にすることができる。
【００６５】
以上、本形態の好適な実施形態について説明したが、本発明は上述した実施形態に限定されることなく種々の形態で実施することができる。例えば、本実施形態において、係合部５５０は、操作キー２１を構成するシート５００の一部で形成されているが、これに限定されず、他の操作キーを構成するシートの一部で形成されていてもよい。
【００６６】
また、本実施形態において、係合部５５０を含むシート５００は全体として同じシリコンゴムにより構成されるが、これに限定されず、第１部５１０と第２部５２０とが異なる材料により構成されていてもよい。この場合、シート５００は、２色成型により成型することができる。また、シート５００の全部又は一部は、シリコンゴムではなく他の弾性部材より構成されていてもよい。また、シート５００は、係合部５００だけが弾性部材になるよう形成してもよい。
【図面の簡単な説明】
【００６７】
【図１】携帯電話機１を開いた状態（第１開状態）における正面図を示す。
【図２】（Ａ）は、携帯電話機１を開いた状態における左側面図を示し、（Ｂ）は、携帯電話機１を開いた状態における右側面図を示す。
【図３】携帯電話機１を開いた状態における背面図を示す。
【図４】図１に示される状態から携帯電話機１の表示部側筐体３を連結部４の開閉軸Ｘを中心に折り畳んだ状態における正面図を示す。
【図５】図１に示される状態から携帯電話機１の表示部側筐体３を、連結部４の回動軸Ｙを中心にして所定角度回動した状態の斜視図を示す。
【図６】図４に示される状態から表示部側筐体３を回動軸Ｙを中心に１８０度回転させた状態の斜視図を示す。
【図７】操作部側筐体２の分解斜視図を示す。
【図８】第２閉状態におけるディスプレイ３０側からみた斜視図を示す。
【図９】図８とは反対側からみた斜視図を示す
【図１０】図９における領域Ｚの拡大図を示す。
【図１１】図１０におけるＸ―Ｘ断面図を示す。
【図１２】操作キー２１を構成するシート５００を説明する図を示す。
【符号の説明】
【００６８】
１      携帯電話機
２      操作部側筐体
３      表示部側筐体
４      連結部
２１    操作キー
２２    アンテナ
２２ａ  アンテナ収納部
５００  シート
５１０  第１部
５２０  第２部
５５０  係合部
７００  底部
７１０  第１壁部
７２０  第２壁部
７２５  保持部材
【図１】
2008252278.tif 000003
【図２】
2008252278.tif 000004
【図３】
2008252278.tif 000005
【図４】
2008252278.tif 000006
【図５】
2008252278.tif 000007
【図６】
2008252278.tif 000008
【図７】
2008252278.tif 000009
【図８】
2008252278.tif 000010
【図９】
2008252278.tif 000011
【図１０】
2008252278.tif 000012
【図１１】
2008252278.tif 000013
【図１２】
2008252278.tif 000014